(57)【要約】【課題】所定の相手から受信した受信画情報は印刷すると共に、他から受信した受信画情報は表示手段に表示することにより、利用者の操作性を向上させると共に記録紙を節約できるようにすること。【解決手段】着呼するファクシミリ番号に対応付けて、記録紙への印刷処理又は受信画情報記憶部１０５への記憶処理を行う旨を着信記憶部１０３に記憶しておき、ＦＡＸ受信部１０４でＦＡＸを受信したとき、発信者番号検出部１０１で検出した発信者番号に対応する処理内容を着信記憶部１０３から選択し、該選択した処理を受信画情報に対して行う。これにより、着呼した発信者番号に応じて、受信画情報を受信画情報記憶部１０５に記憶すると共に受信画情報表示部１０６に表示させ、あるいは、受信画情報記録部１０７で記録紙に印刷する。【選択図】  図１
2004364196.tif 000002
【特許請求の範囲】
【請求項１】
受信画情報を受信する受信手段と、
受信画情報を記憶する受信画情報記憶手段と、
ファクシミリ番号に対応付けて、記録紙への印刷処理又は前記受信画情報記憶手段への記憶処理を定義する操作手段と、
前記操作手段によって定義された処理内容を、前記処理内容に対応付けられたファクシミリ番号とともに記憶する処理内容記憶手段と、
前記処理内容記憶手段を参照して、受信した発信者番号に対応するファクシミリ番号に対応付けられた処理内容を選択する処理内容選択手段と、
前記受信手段で受信した受信画情報に対して、前記処理内容選択手段が印刷処理を選択した場合には記録紙に印刷処理を行うと共に、前記処理内容選択手段が記憶処理を選択した場合には前記受信画情報記憶手段への記憶処理を行う受信画情報処理手段とを備えて成ることを特徴とするファクシミリ装置。
【請求項２】
前記処理内容記憶手段には、未登録のファクシミリ番号については、受信画情報を記憶処理する旨定義されていることを特徴とする請求項１記載のファクシミリ装置。
【請求項３】
前記処理内容記憶手段には、未登録のファクシミリ番号については、発信者番号が通知されている場合には受信画情報を印刷処理する旨定義され、発信者番号が通知されていない場合には受信画情報を記憶処理する旨定義されていることを特徴とする請求項１記載のファクシミリ装置。
【請求項４】
更に表示手段を有し、
前記処理内容選択手段が前記受信した受信画情報に対する処理内容として記憶処理を選択した場合、前記受信画情報処理手段は、更に、前記受信画情報の内容を前記表示手段に表示することを特徴とする請求項１乃至３のいずれか一に記載のファクシミリ装置。
【発明の詳細な説明】
【０００１】
【発明の属する技術分野】
本発明は、ファクシミリ装置に関し、発信者番号通知サービスを利用したファクシミリ装置に関する。
【０００２】
【従来の技術】
従来から、文字データや画像データを含む画情報の送受信を行うファクシミリ装置が開発されている（例えば、特許文献１〜特許文献６参照）。
従来のファクシミリ装置には、受信した画情報（受信画情報）をＬＣＤ等の表示装置の画面に表示させて、その内容を確認することができる画面受信機能を有するものがある（例えば、特許文献３、特許文献６参照）。これにより、不要な受信画情報は記録紙に印刷されないように設定されるため、記録紙を節約することが可能になる。
【０００３】
【特許文献１】
特開平１−７７２７７号公報
【特許文献２】
特開平３−１９２８７０号公報
【特許文献３】
特開平５−４８８５８号公報
【特許文献４】
特開平６−６５６１号公報
【特許文献５】
特開平６−１３３１３２号公報
【特許文献６】
特開平１１−１５５０５１号公報
【０００４】
【発明が解決しようとする課題】
しかしながら、ファクシミリ装置に搭載されている表示装置は画面サイズが小さく、解像度も低いため、ファクシミリ受信した画情報を画面で見ようとしても見難いという問題がある。また、ファクシミリ装置を一旦、画面受信するように設定した場合は、必ず記録紙に記録すべき受信画情報であっても、一旦画面上で確認の上、印刷の操作をする必要があるため、操作が煩雑になり、操作性が悪いという問題がある。
【０００５】
本発明は、所定の相手から受信した受信画情報は印刷すると共に、他から受信した受信画情報は表示手段に表示することにより、利用者の操作性を向上させると共に記録紙を節約できるようにすることを課題としている。
【０００６】
【課題を解決するための手段】
本発明によれば、受信画情報を受信する受信手段と、受信画情報を記憶する受信画情報記憶手段と、ファクシミリ番号に対応付けて、記録紙への印刷処理又は前記受信画情報記憶手段への記憶処理を定義する操作手段と、前記操作手段によって定義された処理内容を、前記処理内容に対応付けられたファクシミリ番号とともに記憶する処理内容記憶手段と、前記処理内容記憶手段を参照して、受信した発信者番号に対応するファクシミリ番号に対応付けられた処理内容を選択する処理内容選択手段と、前記受信手段で受信した受信画情報に対して、前記処理内容選択手段が印刷処理を選択した場合には記録紙に印刷処理を行うと共に、前記処理内容選択手段が記憶処理を選択した場合には前記受信画情報記憶手段への記憶処理を行う受信画情報処理手段とを備えて成ることを特徴とするファクシミリ装置が提供される。受信画情報処理手段は、受信手段で受信した受信画情報に対して、処理内容選択手段が印刷処理を選択した場合には記録紙に印刷処理を行うと共に、前記処理内容選択手段が記憶処理を選択した場合には受信画情報記憶手段への記憶処理を行う。
【０００７】
ここで、前記処理内容記憶手段には、未登録のファクシミリ番号については、受信画情報を記憶処理する旨定義されているように構成してもよい。
また、前記処理内容記憶手段には、未登録のファクシミリ番号については、発信者番号が通知されている場合には受信画情報を印刷処理する旨定義され、発信者番号が通知されていない場合には受信画情報を記憶処理する旨定義されているように構成してもよい。
また、更に表示手段を有し、前記処理内容選択手段が前記受信した受信画情報に対する処理内容として記憶処理を選択した場合、前記受信画情報処理手段は、更に、前記受信画情報の内容を前記表示手段に表示するように構成してもよい。
【０００８】
【発明の実施の形態】
先ず本発明の実施の形態に係るファクシミリ装置の概要を説明すると、あらかじめ必ず印刷するとわかっている相手からの受信画情報の場合は、ファクシミリ受信した時点で印刷して画面受信をしない方が使いやすい、逆に、知らない相手等の場合は、受信画情報を画面で確認し、必要なものだけ印刷した方が記録紙の節約になるため画面受信を有効とした方が利便性が高い。
本実施の形態に係るファクシミリ装置は、着信した相手ごとに画面受信の機能を有効に「する」／「しない」を予め登録しておき、着信した相手ごとに画面受信の機能を有効にするかどうかを決定し、画面受信を行う場合には受信画情報を記憶手段に記憶すると共にその内容を表示手段に表示し、画面受信を行わない場合には記録紙へ印刷することで操作性の向上を図るようにしている。
【０００９】
また、本実施の形態に係るファクシミリ装置では、発信電話番号通知サービスを契約した回線において、着呼時に交換機より通知される発信者の発信者番号と利用者があらかじめ登録しておいたファクシミリ番号情報を比較し、両番号が一致するか否かの判定結果により、画面受信機能を有効に「する」／「しない」を決定し、画面受信を行う場合には受信画情報を記憶手段に記憶すると共にその内容を表示手段に表示し、画面受信を行わない場合には記録紙へ印刷するようにしている。
【００１０】
以下、本発明の実施の形態に係るファクシミリ装置について、図面を参照して説明する。
図１は本発明の実施の形態に係るファクシミリ装置のブロック図である。
図１において、ファクシミリ装置は、ファクシミリ装置の各構成要素及び全体の制御を行う制御部１００、電話番号検出部１０１、リンガ検出部１０２、着信記憶部１０３、ファクシミリ（ＦＡＸ）受信部１０４、受信画情報記憶部１０５、受信画情報表示部１０６、受信画情報記録部１０７、利用者登録部１０８、操作部１０９を備えている。
【００１１】
ファクシミリ装置の利用者登録部１０８は、着信があると予想される相手先（発呼者）のファクシミリ（ＦＡＸ）番号を登録ファクシミリ番号として登録し記憶する記憶装置である。利用者登録部１０８には、ＦＡＸ番号及び該ＦＡＸ番号に対応する処理内容（画面受信機能を有効と「する」か「しない」かの処理内容）を対応付けて予め記憶している。ＦＡＸ番号及び該ＦＡＸ番号に対応付けた処理内容の利用者登録部１０８への登録は、利用者が操作部１０９を操作することによって行う。
尚、画面受信とは、受信した画情報（受信画情報）を記憶手段に記憶し、前記記憶した受信画情報を表示手段に表示して、前記記憶した受信画情報の記録紙へは印刷しないようにした機能をいう。画面に表示する内容は、受信画像情報の全てを表示しても良く、その一部を表示するようにしても良い。また、受信した画情報を記憶手段に記憶し、表示手段に表示しないようにしてもよい。
【００１２】
図２は、利用者登録部１０８に登録された処理内容を示すテーブルである。
図２において、第１番目の処理内容として、登録ＦＡＸ番号として０３−１１１１−２２２２が登録され、前記番号の相手から受信した受信画情報は内容を受信画情報表示部１０６の画面で見てから印刷するかどうかを決めたいため、画面受信を「する」に登録する。
同様に、第２番目の処理内容として、０３−１２３４−５６７８を登録し、その相手からの画情報は必ず印刷したいため、画面受信を「しない」に登録する。即ち、受信画情報に対する処理は、画面受信を行うか、あるいは、画面受信を行わずに記録紙に印刷を行うかの２者択一となっている。
【００１３】
また、登録されているＦＡＸ番号以外のＦＡＸ番号（未登録ファクシミリ番号）の場合は、画面受信を「する」又は「しない」のいずれかを一括して選択し登録できるようにしている。図２では、未登録のファクシミリ番号に対しては、画面受信を「する」として登録されている。即ち、未登録のファクシミリ番号については、受信画情報を記憶処理する旨定義されている。
再び図１を参照すると、発信者番号検出部１０１は、交換機に接続された回線１０９から通知される発信者番号の検出を行う。制御部１００は着信した相手がＦＡＸの場合に、画面受信を「する」相手なのか「しない」相手なのかを利用者登録部１０８に登録されている登録ＦＡＸ番号と比較参照することで判断する。
【００１４】
また、制御部１００は発呼者の発信者番号が利用者登録部１０８に登録された登録ＦＡＸ番号に該当する場合は、その発信者番号に対応して登録されている画面受信を「する」／「しない」の情報を着信記憶部１０３に記憶させる。発呼者の発信者番号が上記登録ＦＡＸ番号に該当しない場合は、未登録ＦＡＸ番号の画面受信を有効と「する」／「しない」の情報を着信記憶部１０３に記憶させる。即ち、着信記憶部１０３には、利用者登録部１０８に記憶した図２の処理内容の内、着信した発信者番号及び該発信者番号に対応付けられた処理内容が、図２と同様の形式のテーブルで記憶される。
【００１５】
続いて、リンガ検出部１０２は回線１０９からのリンガ信号を検出する。リンガ信号が検出されると、着信動作に移行し、相手がＦＡＸである場合はＦＡＸ受信部１０４で画情報の受信を開始する。その際、制御部１００は着信記憶部１０３を参照し、画面受信を有効に「する」となっている場合は、受信画情報記憶部１０５に受信画情報を記憶する（画面受信）。一方、画面受信を有効に「しない」となっている場合は、受信画情報記録部１０７にて受信画情報を記録紙に印刷する（記録紙受信）。
【００１６】
受信画情報記憶部１０５に記憶された受信画情報は、利用者が操作部１０９を操作することにより、受信画情報表示部１０６にて画面表示させ内容を確認できる。もし、受信画情報記憶部１０５に記憶されている受信画情報を印刷したい場合は、操作部１０９を操作することにより、受信画情報記録部１０７にて記録紙に印刷することが可能である。
【００１７】
尚、図１において、ＦＡＸ受信部１０４は受信手段を構成し、受信画情報記憶部１０５は受信画情報記憶手段を構成し、操作部１０９は操作手段を構成し、着信記憶部１０３及び利用者登録部１０８は処理内容記憶手段を構成し、制御部１００は処理内容選択手段を構成し、受信画情報記録部１０７は受信画情報処印刷手段を構成し、受信画情報表示部１０６は表示手段を構成している。また、制御部１００は受信画情報記録部１０７とともに、受信画情報処理手段を構成している。
図３は、図１に示したファクシミリ装置の動作を示すフローチャートである。
【００１８】
以下図１〜図３を参照して、本実施の形態に係るファクシミリ装置の動作を詳細に説明する。
図３のステップ３００は、回線１０９から通知される発信者番号の到来を待っている状態である。発信者番号検出部１０１が発信者番号の到来を検出すると（ステップ３００のＹＥＳ）、制御部１００は利用者登録部１０８に記憶されている登録ＦＡＸ番号を参照して、発信者番号検出部１０１で検出した発信者番号が画面受信機能を有効と「する」あいは「しない」を判定し（ステップ３０１）、着信記憶部１０３にその結果（受信した発信者番号及び該発信者番号に対する処理内容を対応付けた情報）を記憶する。
【００１９】
次に、回線１０９からのリンガ到来を待つ（ステップ３０２）。リンガ検出部１０２がリンガの到来を検出すると（ステップ３０２のＹＥＳ）、ベル（図示せず）鳴動を開始する（ステップ３０３）。
次に、制御部１００は、着呼が通話なのかファクシミリなのかを判断し（ステップ３０４）、着呼が通話であった場合（ステップ３０４の通話）は通話状態へ移行する（ステップ３０６）。制御部１００は、ステップ３０４において、着呼がファクシミリであった場合には、着信記憶部１０３に記憶されている当該発信者番号に対応つけられた画面受信を有効に「する」／「しない」の処理内容の情報を参照し、画面受信するかどうかを判定する（ステップ３０５）。
【００２０】
制御部１００は、画面受信を「する」の場合（ステップ３０５のＹＥＳ）は、画面受信を開始する（ステップ３０８）。画面受信の場合は、ＦＡＸ受信部１０４で受信した受信画情報を受信画情報記憶部１０５に記憶する。一方、制御部１００は、画面受信を「しない」の場合（ステップ３０５のＮＯ）は、記録紙受信を開始する（ステップ３０７）。記録紙受信の場合は、ＦＡＸ受信部１０４で受信した受信画情報を受信画情報記録部１０７にて記録紙に印刷する。
【００２１】
前記実施の形態に係るファクシミリ装置は、受信する可能性のあるファクシミリ番号を登録ファクシミリ番号として予め登録しておくと共に、該ファクシミリ番号に対応付けて該ファクシミリ番号に対する処理内容（画面受信を有効に「する」／「しない」）を登録しておく。着信ごとに通知される発呼者の発信者番号と前記登録ファクシミリ番号を比較参照することで、画面受信するか、あるいは、記録紙受信するかを決定する。
【００２２】
必ず紙に印刷する相手からのＦＡＸの場合は画面受信を無効として記録紙受信する。したがって、一旦画面受信して受信画情報記憶部１０５に記憶してしまった受信画情報について、受信画情報表示部１０６の画面を見て印刷の操作をする手間が省けるため、操作性が向上する。
画面で確認してから印刷するかどうかを決めたい相手からのＦＡＸの場合は画面受信を有効として画面受信する。受信画情報表示部１０６の画面を見てから操作部１０９を操作することにより、該受信画情報を受信画情報記録部１０７で記録紙に印刷できるため、不要な印刷を防止でき、記録紙等の節約となる。
【００２３】
前述した実施の形態は種々の変更が可能である。前記実施の形態に係るファクシミリ装置では、着信ごとに通知される発呼者の発信者番号を利用しているが、発呼者が発信者番号の通知を拒否している場合は、発信者番号の代わりに匿名を示す情報が通知される。
【００２４】
本発明の実施の形態に係るファクシミリ装置において、この場合の着信は未登録ＦＡＸ番号として扱われることになる。しかし、匿名で電話をしてくるような人は、利用者にとってあまり重要な相手ではなく、画面受信を有効にした方がいいと思う利用者があると考えられる。
そこで、図４に示すような利用者登録を可能とすることでこの問題を解決できる。即ち、図４は他の実施の形態に使用する利用者登録部１０８に登録された処理内容を示すテーブルである。
【００２５】
図４に示すように、未登録ＦＡＸ番号の欄を匿名者からの電話の場合と匿名でない者からの電話に分けて登録可能とする。そして、匿名者からのＦＡＸの場合は画面受信の機能を有効とする。匿名でない者からの未登録ＦＡＸ番号の場合には、画面受信はせずに、記録紙受信とする。即ち、図４においては、未登録のファクシミリ番号については、発信者番号が通知されている場合には受信画情報を印刷処理する旨定義され、発信者番号が通知されていない場合には受信画情報を記憶処理する旨定義されている。
【００２６】
以上述べたように、本発明の実施の形態に係るファクシミリ装置は、受信画情報を受信するＦＡＸ受信部１０４と、受信画情報を記憶する受信画情報記憶部１０５と、ファクシミリ番号に対応付けて、記録紙への印刷処理又は前記受信画情報記憶部１０５への記憶処理を定義する操作部１０９と、前記操作部１０９によって定義された処理内容を、前記処理内容に対応付けられたファクシミリ番号とともに記憶する処理内容記憶手段（利用者登録部１０８、着信記憶部１０３）と、前記処理内容記憶手段を参照して、受信した発信者番号に対応するファクシミリ番号に対応付けられた処理内容を選択する処理内容選択手段（制御部１００）と、前記受信手段で受信した受信画情報に対して、前記処理内容選択手段が印刷処理を選択した場合には記録紙に印刷処理を行うと共に、前記処理内容選択手段が記憶処理を選択した場合には前記受信画情報記憶手段への記憶処理を行う受信画情報処理手段（制御部１００及び受信画情報記録部１０７）とを備えて成ることを特徴としているので、所定の相手から受信した受信画情報は印刷すると共に、他から受信した受信画情報は受信画情報表示部１０６に表示することにより、利用者の操作性を向上させると共に記録紙を節約することが可能になる。
【００２７】
尚、前記実施の形態では、発信者番号に対する処理内容の決定をより短時間で行うために、操作部１０９の操作によって利用者登録部１０８には、着信があると予想される相手先の登録ファクシミリ番号及び該ＦＡＸ番号に対応する処理内容を対応付けて予め記憶しておき、制御部１００は、発信者番号を受信すると、利用者登録部１０８に記憶した図２の処理内容の内、着信した発信者番号及び該発信者番号に対応付けられた処理内容を、着信記憶部１０３に一旦記憶し、着信記憶部１０３に記憶した登録ＦＡＸ番号に基づいて、発信者番号に対応する処理内容を判別するようにしているが、着信記憶部１０３は省略して、利用者登録部１０８に予め記憶した登録ＦＡＸ番号及び該登録ＦＡＸ番号に対応付けられた処理内容に基づいて、着呼した発信者番号の受信画情報に対する処理を決定して処理するようにしてもよい。
【００２８】
【発明の効果】
本発明によれば、所定の相手から受信した受信画情報は印刷すると共に、それ以外から受信した受信画情報は表示手段に表示することにより、利用者の操作性を向上させると共に記録紙を節約することが可能になる。
【図面の簡単な説明】
【図１】本発明の実施の形態に係るファクシミリ装置のブロック図である。
【図２】本発明の実施の形態に係るファクシミリ装置における処理内容の登録例を示す図である。
【図３】本発明の実施の形態に係るファクシミリ装置の処理を示すフローチャートである。
【図４】本発明の他の実施の形態に係るファクシミリ装置における処理内容の登録例を示す図である。
【符号の説明】
１００・・・処理内容選択手段及び受信画情報処理手段を構成する制御部
１０１・・・発信者番号検出部
１０２・・・リンガ検出部
１０３・・・処理内容記憶手段を構成する着信記憶部
１０４・・・受信手段を構成するＦＡＸ受信部
１０５・・・受信画像情報記憶手段を構成する受信画情報記憶部
１０６・・・表示手段を構成する受信画情報表示部
１０７・・・受信画情報処理手段及び受信画情報印刷手段を構成する受信画情報記録部
１０８・・・処理内容記憶手段を構成する利用者登録部
１０９・・・操作手段を構成する操作部
【図１】
2004364196.tif 000003
【図２】
2004364196.tif 000004
【図３】
2004364196.tif 000005
【図４】
2004364196.tif 000006